(57)【特許請求の範囲】
【請求項１】
多数本の棒状体が収容される内ケースを、内部に回転自在に組み付けた外ケースの開口端部に、上面における周縁に取出口を備えるキャップを装着し、内ケースに対して、外ケースとキャップとが一体的に回転し得るようにするとともに、内ケースの周壁に軸線方向のスリットを、また外ケースの内周面に軸線方向のガイド溝をそれぞれ設け、内ケース内の棒状体を、前記スリットを介して前記ガイド溝に保持させて、内ケースに対して外ケースを相対的に回転させることにより、棒状体を外ケースと内ケース間の間隙内を移動させるとともに、この棒状体を前記取出口に向けて押し出す押出機構を設けたことを特徴とする棒状物用収容ケース。
【請求項２】
前記押出機構を、内ケースの底部外周面に、連続的に迫上がり状態に傾斜する段部を設けることによって形成したことを特徴とする請求項１記載の棒状物用収容ケース。
【請求項３】
外ケースの内周面に設けたガイド溝の深さ、および外ケースと内ケース間の間隙寸法を、ともに前記棒状体の半径寸法とほぼ等しくしたことを特徴とする請求項１または２に記載の棒状物用収容ケース。
【発明の詳細な説明】
【０００１】
【発明の属する技術分野】
本発明は、例えばシャープペンシルの替芯や爪楊枝、あるいはクジ棒等の棒状物を収容する棒状物用収容ケースに係り、特に、棒状体の取出し構造に関する。
【０００２】
【従来の技術】
従来、例えば多数の替芯が収容されるケース本体の開口端をキャップで施蓋し、ケース本体内の替芯を、キャップの取出口から１本ずつ、または複数本ずつ取り出すようにしたシャープペンシルの替芯収容ケースは公知である（例えば、特許文献１参照）。
【０００３】
【特許文献１】
特開２００１−３１０５９１号公報（図１）
【０００４】
【発明が解決しようとする課題】
上記した特許文献１に記載の収容ケースでは、替芯のキャップの取出口からの取り出しは、ケース本体を逆さ状態にし、キャップの取出口を下向きにして振り動かすことにより行われる。
【０００５】
しかし、このような収容ケースにおける替芯の取出構造では、キャップの取出口の開口径が小さいと、１本の替芯の取出しを、容易にかつ迅速に行うことができない。また、取出口の開口径が大き過ぎると、複数本の替芯が同時に飛び出して、手元から抜け落ちてしまうという問題がある。
【０００６】
本発明は、上記のような問題点に鑑み、取出口を下向きにすることなく、ケース本体を正立させたままで、単にキャップを回転させることにより、１本または複数本の棒状体を、抜け落ちることなく、容易にかつ迅速に取り出すことができる棒状物用収容ケースを提供することを目的とする。
【０００７】
【課題を解決するための手段】
本発明によると、上記課題は、次のようにして達成される。
(１)  多数本の棒状体が収容される内ケースを、内部に回転自在に組み付けた外ケースの開口端部に、上面における周縁に取出口を備えるキャップを装着し、内ケースに対して、外ケースとキャップとが一体的に回転し得るようにするとともに、内ケースの周壁に軸線方向のスリットを、また外ケースの内周面に軸線方向のガイド溝をそれぞれ設け、内ケース内の棒状体を、前記スリットを介して前記ガイド溝に保持させて、内ケースに対して外ケースを相対的に回転させることにより、棒状体を外ケースと内ケース間の間隙内を移動させるとともに、この棒状体を前記取出口に向けて押し出す押出機構を設けた棒状物用収容ケースとする。
【０００８】
(２)  上記(１)項において、前記押出機構を、内ケースの底部外周面に、連続的に迫上がり状態に傾斜する段部を設けることによって形成する。
【０００９】
(３)   上記(１)項または(２)項において、外ケースの内周面に設けたガイド溝の深さ、および外ケースと内ケース間の間隙寸法を、ともに前記棒状体の半径寸法とほぼ等しくする。
【００１０】
【発明の実施の形態】
図１は、本発明を説明する前に参考として示す棒状物用収容ケースを、一部破断して示す斜視図である。図２は、図１におけるII−II線矢視方向から見た縦断側面図である。図３は、図２におけるIII−III線矢視方向から見た拡大横断面図である。図４は、図２におけるIV−IV線矢視方向から見た拡大横断面図である。図５は、シャープ芯の押出し高さｔを、各押出面と対比して示す説明図である。なお、本発明の棒状物収容ケースとして、シャープペンシルの替芯収容ケースを例にして、以下に説明する。
【００１１】
替芯収容ケース(１)は、図１および図２に示すように、ケース本体(２)とキャップ(３)とより構成されている。
ケース本体(２)は、例えば芯径が0.5ｍｍ、長さが60ｍｍの多数本のシャープ芯(４)が収容可能なプラスチック製の有底円筒状の形状を有する。このケース本体(２)の開口端(2a)側には、キャップ(３)が回転自在に装着されており、このキャップ(３)により、ケース本体(２)の開口端(2a)を施蓋している。
【００１２】
キャップ(３)の頂壁(3a)の周縁部には、取出口(５)が設けられている。この取出口(５)は、キャップ(３)と同心状をなす円弧状の長孔からなり、後記する押出機構により押し出される、ケース本体(２)内のシャープ芯(４)が、前記取出口(５)から取出される。
【００１３】
キャップ(３)の頂壁(3a)の下面の中心部には、ケース本体(２)の内底部(2b)に向けて延出する軸線方向の連結軸(６)が一体的に設けられ、その先端部には押出体(７)が連結されている。この押出体(７)は、図３において、矢印(Ｘ)で示す時計回りに、キャップ(３)と一体的に回転し得るようになっている。
【００１４】
前記押出体(７)の上面は、ケース本体(２)の内底部(2b)の位置から反時計回りに螺旋状に迫上がり状態に傾斜する押出面(８)を備えている。この押出面(８)は、図４、図５に示すように、連続的に緩やかに傾斜する第１および第２の押出面(8a)(8b)と、急激に傾斜する第３押出面(8c)と、この第３押出面(8c)の迫上がり端から水平方向に延びてランディンク面となる第４押出面(8d)とから形成されている。
【００１５】
前記各押出面(8a)(8b)(8c)(8d)は、押出体(７)の１／４回転毎に相互に連続しており、図５には、シャープ芯(４)の押出し高さｔを、各押出面(8a)(8b)(8c)(8d)と対比して示してある。ケース本体(２)内のシャープ芯(４)は、押出体(７)が１／２回転して第３押出面(8c)に到達した時点において、キャップ(３)の取出口(４)からの突出が開始される。第１、第２及び第３の押出面(8a)(8b)(8c)には、シャープ芯(４)の滑止めとなる粗面加工あるいは溝(９)加工が施されている。
【００１６】
一方、ケース本体(２)の内面には、図４に示すように、２点鎖線で示すシャープ芯(４)の半径とほぼ等しい深さを有する第１ガイド溝(10)と第２ガイド溝(11)とが、対向して軸線方向に形成されている。第１ガイド溝(10)は、１本分のシャープ芯(4a)が入込み可能な断面を有し、第２ガイド溝(11)は、複数本分、たとえば３本分のシャープ芯(4b)が入込み可能な断面形態を有している。
【００１７】
キャップ(３)の頂壁(3a)に設けた取出口(５)には、シャープ芯(４)の取出し時にのみ開くシャッタ機構（図示せず）が適宜に設けられている。
【００１８】
次に、上記した取出口(５)付きのキャップ(３)、連結軸(６)、押出体(７)および第１、２ガイド溝(10)(11)からなる押出機構によるシャープ芯(４)の取出し態様を説明する。
ケース本体(２)内から１本のシャープ芯(4a)を取り出すときには、まず、第１ガイド溝(10)が下側に位置するようにケース本体(２)を傾倒する。これにより、第１ガイド溝(10)には、シャープ芯(4a)を１本だけ入り込ませることができる。第１ガイド溝(10)は、シャープ芯(4a)の半径とほぼ等しい深さを有するため、シャープ芯(4a)は、その断面のほぼ半分だけが第１ガイド溝(10)内に入り込み、その残りのほぼ半分は、押出体(７)の押出面(８)上に当接している。
【００１９】
この状態で、ケース本体(２)を傾倒させたままキャップ(３)を、矢印(Ｙ)で示す時計回りに回転させると、押出体(７)もまた連結軸(６)を介して同一方向に回転し、螺旋状に迫上がり状態に傾斜する押出面(８)によりシャープ芯(４)が押し上げられる。そして、押出体(７)を１／２回転させると、キャップ(３)の取出口(５)は第１ガイド溝(10)に整合し、押出面(８)における第３押出面(8c)により、取出口(５)からのシャープ芯(４)の突出が開始される。
【００２０】
シャープ芯(4a)の押上げ作用は、第４押出面(8d)であるランディンク面に到達した時点で終了する。この第４押出面(8d)上にシャープ芯(4a)が位置したとき、キャップ(３)の回転を停止し、シャープ芯(4a)の取出しが行われる。このようにして、ケース本体(２)内から１本のシャープ芯(4a)を、容易にかつ迅速に取り出すことができる。
【００２１】
一方、ケース本体(２)内から３本のシャープ芯(4b)を取り出すときには、第２ガイド溝(11)が、下側に位置するようにケース本体(２)を傾倒させる。これにより、第２ガイド溝(11)に、３本のシャープ芯(4b)を入り込ませることができる。第２ガイド溝(11)は、第１ガイド溝(10)と同様に、シャープ芯(4b)の半径とほぼ等しい深さを有するため、各シャープ芯(4b)は、その断面のほぼ半分だけ第２ガイド溝(11)内に入り込み、その残りのほぼ半分の断面は、押出体(７)の押出面(８)上に当接している。
【００２２】
この状態で、ケース本体(２)を傾倒させたまま、キャップ(３)を、矢印(Ｙ)で示す時計回りに回転させると、押出体(７)もまた連結軸(６)を介して同一方向に回転し、螺旋状に迫上がり状態に傾斜する押出面(８)により、３本のシャープ芯(4b)は同時に押し上げられる。その後は、前記の１本のシャープ芯(4a)の取出しと同様であるため、その説明を省略する。
このようにして、ケース本体(２)内から３本のシャープ芯(4b)を、容易かつ迅速に取り出すことができ、従前のように、抜け落ちることなく、安定したシャープ芯(4b)の取出しを行うことができる。
【００２３】
図６は、本発明の棒状物用収容ケースの実施形態である替芯収容ケース(12)を、一部破断して示す斜視図、図７は、図６におけるVII−VII線矢視方向から見た縦断側面図である。
【００２４】
本実施形態の替芯収容ケース(12)におけるケース本体(13)は、内ケース(14)と外ケース(15)とからなる二重構造を有する。図８は、内ケース(14)の斜視図、図９は、外ケース(15)を一部破断して示す斜視図である。内ケース(14)の底部中心部には、回転軸(16)が一体に下向きに突出して設けられており、この回転軸(16)は、図７に示すように、外ケース(15)の底部中心部に設けた支持孔(15a)を貫通して外部に突出している。回転軸(16)の突出端部には、操作用回転子(17)が取り付けられ、この操作用回転子(17)と内ケース(14)とは一体となって、外ケース(15)に対して相対的に回転し得るようになっている。
【００２５】
内ケース(14)内には、多数本のシャープ芯が収容される。一方、図７に示すように、外ケース(15)の開口端部(15b)にはキャップ(18)が装着され、このキャップ(18)により、外ケース(15)及び内ケース(14)の開口端面が施蓋されている。キャップ(18)の頂壁(18a)における周縁部には、取出口(19)が設けられ、この取出口(19)から、後述する押出機構により押し出される内ケース(14)内のシャープ芯を取出し得るようになっている。
【００２６】
キャップ(18)が装着される外ケース(15)の開口端部(15b)における外周面には、図９に示すように、環状凸部(20)と、軸方向の係止凸条(21)とが形成されている。図１０は、替芯収容ケース(12)の上部構造を拡大して示す要部断面図である。前記環状凸部(20)および係止凸条(21)には、キャップ(18)の内周面に形成した環状凸部(22)および軸方向の係止凹条(23)が、それぞれ係合される。これにより、外ケース(15)とキャップ(18)とは、一体的に回転するように組み付けられている。
【００２７】
図１１は、内ケース(14)の底部を拡大して示す要部斜視図である。図８，図１１示すように、内ケース(14)は、底部外周面に沿って段部をもって形成される押出面(24)を有する。この押出面(24)は、連続的に迫上がり状態に傾斜する第１押出面(24a)と、この第１押出面(24b)の迫上がり端から水平方向に延びるランディンク面となる第２押出面(24b)とからなっている。
【００２８】
図１２は、ケース本体(13)の下部構造を拡大して示す要部断面斜視図である。
内ケース(14)には、１本のシャープ芯が通過し得る幅の軸方向のスリット(25)が形成されている。
【００２９】
一方、外ケース(15)の内面には、内ケース(14)の前記スリット(25)に対応する軸線方向のガイド溝(26)が形成されている。このガイド溝(26)は、図１２に２点鎖線で示すシャープ芯(27)の半径とほぼ等しい深さを有する。
【００３０】
次に、上記した押出機構によるシャープ芯(27)の取出し態様を説明する。ケース本体(13)からシャープ芯(27)を取り出すときは、一方の手で操作用回転子(17)を握持し、他の方でキャップ(18)を回転操作して、外ケース(15)のガイド溝(26)と、内ケース(14)のスリット(25)との位置が一致するようにする。次いで、ガイド溝(26)とスリット(25)とが下側に位置するように、ケース本体(13)を傾倒する。これにより、内ケース(14)内に収容されているシャープ芯(27)のうちの１本を、スリット(25)を介して押出案内面(24)上に取り出す。
この取り出されたシャープ芯(27)は、外ケース(15)のガイド溝(26)が、シャープ芯(27)の半径にほぼ等しい深さを有するため、シャープ芯(27)は、その断面のほぼ半分だけが、ガイド溝(26)内に入り込み、その残りのほぼ半分の断面は、押出案内面(24)上に当接している。
【００３１】
この状態で、キャップ(18)の回転操作により、図１２において、外ケース(15)を、内ケース(14)に対して相対的に矢印(Ｚ)で示す反時計回りに回転させると、内ケース(14)において、螺旋状に迫上がり状態に傾斜する押出案内面(24)により、シャープ芯(27)は漸次押し上げられる。このようにして、シャープ芯(27)は、外ケース(15)の回転にともなって、キャップ(18)の取出口(19)から突出し、ケース本体(13)から容易に、かつ迅速に取り出すことができる。
【００３２】
【発明の効果】
本発明によると、次の効果が奏せられる。
(１)  請求項１記載の発明によれば、キャップを握持して、外ケースとともに、内ケースに対して相対的に回転させることにより、所望の１本または複数本の棒状体を、押出機構の作用によって、抜け落ちることなく、容易にかつ迅速に取り出すことができる。
【００３３】
(２)  請求項２記載の発明によれば、押出機構を簡単に形成することができる。
【００３４】
(３)  請求項３記載の発明によれば、棒状体を安定的に保持しながら、押出機構を形成する傾斜する段部上を移動させることができ、棒状体の円滑な取出しができる。
【図面の簡単な説明】
【図１】  本発明を説明する前に参考として示す棒状物用収容ケースを、一部破断して示す斜視図である。
【図２】  図１におけるII−II線矢視方向から見た縦断側面図である。
【図３】  図２におけるIII−III線矢視方向から見た拡大横断面図である。
【図４】  図２におけるIV−IV線矢視方向から見た拡大横断面図である。
【図５】  シャープ芯の押出し高さｔを、各押出面と対比して示す説明図である。
【図６】  本発明の棒状物用収容ケースの実施形態である替芯収容ケースを、一部破断して示す斜視図である。
【図７】  図６におけるVII−VII線矢視方向から見た縦断側面図である。
【図８】  内ケースの斜視図である。
【図９】  外ケースを一部破断して示す斜視図である。
【図１０】  替芯収容ケースの上部構造を拡大して示す要部断面斜視図である。
【図１１】  内ケースの底部を拡大して示す要部斜視図である。
【図１２】  ケース本体の下部構造を拡大して示す要部断面斜視図である。
【符号の説明】
(１) 替芯収容ケース（棒状物収容ケース）
(２) ケース本体
(2a) 開口端部
(2b) 内底部
(３) キャップ
(3a) 頂壁
(４)(4a)(4b) シャープ芯
(５) 取出口
(６) 連結軸
(７) 押出体
(８)(8a)(8b)(8c)(8d) 押出面
(９) 溝
(10) 第１ガイド溝
(11) 第２ガイド溝
(12) 替芯収容ケース
(13) ケース本体
(14) 内ケース
(15) 外ケース
(15a) 支持孔
(15b) 開口端部
(16) 回転軸
(17) 操作用回転子
(18) キャップ
(18a) 頂壁
(19) 取出口
(20) 環状凸部
(21) 係止凸条
(22) 環状凸部
(23) 係止凹条
(24)(24a)(24b) 押出案内面
(25) スリット
(26) ガイド溝
(27) シャープ芯
【図１】
0004200034.tif 000002
【図２】
0004200034.tif 000003
【図３】
0004200034.tif 000004
【図４】
0004200034.tif 000005
【図５】
0004200034.tif 000006
【図６】
0004200034.tif 000007
【図７】
0004200034.tif 000008
【図８】
0004200034.tif 000009
【図９】
0004200034.tif 000010
【図１０】
0004200034.tif 000011
【図１１】
0004200034.tif 000012
【図１２】
0004200034.tif 000013